(57)【要約】【課題】  像形成装置、特に大型のものにおける振動に対処するためなしたものであって、搬送中の画像形成装置の移動や振動を防ぐことができる免震装置、免震方法を提供する。【解決手段】  画像形成装置本体１の側面の４隅と、底板４の対応位置に係止部材２を設け、それらの間を弾性部材３を用いて連結する。両係止部材２は、弾性部材３が放射状となるように配置する。弾性部材３は、つる巻きバネからなるものを用いることが好ましい。画像形成装置本体１に水平方向及び垂直方向の力が四周から加わった場合、放射状に張ったバネである複数の弾性部材３の復元力がバランス良く生じて、画像形成装置本体１が底板４上の所定の位置で固定される。【選択図】        図１
2006119482.tif 000002
【特許請求の範囲】
【請求項１】
画像形成装置本体とこれを載置する面とのそれぞれに係止部材を設け、該係止部材の間を免震用の弾性部材で連結可能としてなることを特徴とする画像形成装置の免震装置。
【請求項２】
請求項１の画像形成装置の免震装置において、前記弾性部材を複数本用い、これら弾性部材を前記画像形成装置本体の外周に向けてほぼ放射状に配設することを特徴とする画像形成装置の免震装置。
【請求項３】
請求項１または２のいずれかに記載の画像形成装置の免震装置において、前記係止部材を前記画像形成装置本体の側面の四隅に設けたことを特徴とする画像形成装置の免震装置。
【請求項４】
請求項３に記載の画像形成装置の免震装置において、前記弾性部材を前記画像形成装置本体の平面における対角線に沿わせて設けたことを特徴とする画像形成装置の免震装置。
【請求項５】
請求項１から４のいずれかに記載の画像形成装置の免震装置において、前記画像形成装置本体に設ける係止部材を、該画像形成装置本体の高さの中間位置よりも上部側に設置したことを特徴とする画像形成装置の免震装置。
【請求項６】
請求項１から５のいずれかに記載の画像形成装置の免震装置において、前記弾性部材がバネ材であることを特徴とする画像形成装置の免震装置。
【請求項７】
請求項１から６のいずれかに記載の画像形成装置の免震装置を用い、画像形成装置本体とこれを載置した床面との間を前記弾性部材で連結し、該弾性部材の弾性を利用して前記画像形成装置本体の免震を行うことを特徴とする画像形成装置の免震方法。
【発明の詳細な説明】
【技術分野】
【０００１】
本発明は、複写機やプリンタなど大型の画像形成装置の免震装置、同じく免震方法に関する。
【背景技術】
【０００２】
使用済みの複写機やプリンタなど大型の画像形成装置を、再生を行うことを目的に自動車等を用いて回収する際、搬送中の車内において受ける振動が原因となり、画像形成装置に部品の破損や内容物の飛散などが起きることがある。
【０００３】
これを防ぐためには、緩衝材やベルトを用いて画像形成装置の固定を行い、搬送中の画像形成装置が移動しないようにしている。
【０００４】
また、画像形成装置本体の底面に固定した弾性部材を放射状に引っ張ることによって画像形成装置本体を載置する底板に固定し、水平方向の振動を低減することによる画像形成装置の免震が知られている。
【発明の開示】
【発明が解決しようとする課題】
【０００５】
しかしながら、実際に画像形成装置の搬送中に生じる振動では、垂直方向の振動が主であり、水平方向の振動を防ぐだけでは、画像形成装置本体の転倒や移動の可能性を無くすことはできず、部品の破損など、使用済み複写機等の画像形成装置の回収品質の低下は免れないものとなっていた。
【０００６】
本発明は、このような画像形成装置、特に大型のものにおける振動に対処するためなしたものであって、搬送中の画像形成装置の移動や振動を防ぐことができる免震装置、免震方法を提供することを目的とする。
【課題を解決するための手段】
【０００７】
本発明の請求項１に係る画像形成装置の免震装置は、画像形成装置本体とこれを載置する面とのそれぞれに係止部材を設け、該係止部材の間を免震用の弾性部材で連結可能としてなることを特徴とする。
【０００８】
同請求項２に係るものは、請求項１の画像形成装置の免震装置において、前記弾性部材を複数本用い、これら弾性部材を前記画像形成装置本体の外周に向けてほぼ放射状に配設することを特徴とする。
【０００９】
同請求項３に係るものは、請求項１または２のいずれかに記載の画像形成装置の免震装置において、前記係止部材を前記画像形成装置本体の側面の四隅に設けたことを特徴とする。
【００１０】
同請求項４に係るものは、請求項３に記載の画像形成装置の免震装置において、前記弾性部材を前記画像形成装置本体の平面における対角線に沿わせて設けたことを特徴とする。
【００１１】
同請求項５に係るものは、請求項１から４のいずれかに記載の画像形成装置の免震装置において、前記画像形成装置本体に設ける係止部材を、該画像形成装置本体の高さの中間位置よりも上部側に設置したことを特徴とする。
【００１２】
同請求項６に係るものは、請求項１から５のいずれかに記載の画像形成装置の免震装置において、前記弾性部材がバネ材であることを特徴とする。
【００１３】
また請求項７に係る本発明の画像形成装置の免震方法は、請求項１から６のいずれかに記載の画像形成装置の免震装置を用い、画像形成装置本体とこれを載置した床面との間を前記弾性部材で連結し、該弾性部材の弾性を利用して前記画像形成装置本体の免震を行うことを特徴とする。
【発明の効果】
【００１４】
本発明は、画像形成装置本体に加わる振動を吸収し、画像形成装置本体の転倒や移動を防ぐことができ、部品の破損や内容物の飛散を防ぐことができる。
【発明を実施するための最良の形態】
【００１５】
以下本発明を実施するための最良の形態を、図に示す実施例を参照して説明する。
【実施例１】
【００１６】
図１は本発明に係る画像形成装置の免震装置の一実施例を示す斜視図、図２は同じく平面図である。
【００１７】
図１に示すように、本実施例では、画像形成装置本体１が底板４上の定位置に載置するものとする。もちろん、底板４だけでなく、例えば搬送するトラックの荷台等であってもよい。画像形成装置本体１の側面の４隅には係止部材２が設置してあり、底板４の対応位置に設置した係止部材２との間を弾性部材３を用いて連結するようになっている。
【００１８】
画像形成装置本体１の側面に設けた係止部材２と、底板４に設置した係止部材２とは、弾性部材３が放射状となるように配置して連結する。
【００１９】
係止部材２としては、破損が起こりにくいことから金属製の部材が好ましいが、もちろんその他の部材、素材であっても構わない。また弾性部材３としては、ベルト状、棒状等の形状としたバネやゴム材等を挙げ得るが、部材の劣化が起こりにくいことから、つる巻きバネからなるものを用いることが好ましい。もちろん、その他のバネ材やゴムベルト等々のゴム材、あるいは繊維材からなるベルト材等々をも用い得る。
【００２０】
そして上述のような構成によって、画像形成装置本体１に水平方向及び垂直方向の力が四周から加わった場合、放射状に張ったバネである複数の弾性部材３の復元力がバランス良く生じて、画像形成装置本体１が底板４上の所定の位置で固定される。
【００２１】
すなわち、画像形成装置本体１を床面４と弾性部材３を用いて連結していることから、画像形成装置本体１に掛かる振動を吸収して画像形成装置本体１の転倒や移動を防ぐことができ、それにより画像形成装置本体１が備える部品の破損や内容物の飛散を防ぐことができる。
【００２２】
また複数本の弾性部材３を放射状に配置することから、画像形成装置本体１が弾性部材３間のほぼ中心に位置することになり、画像形成装置本体１はますます移動や転倒しにくくなる。
【００２３】
なお図示は省略するが、画像形成装置本体１側における係止部材２の配設位置を、画像形成装置１の高さの中間位置よりも上部側とするとよい。弾性部材３の復元力によって画像形成装置本体１が下方へ引きつけられることから、画像形成装置本体１への垂直方向の振動の影響をいっそう低減させることができる。
【００２４】
またこれも図示は省略するが、弾性部材３を放射状でかつ画像形成装置本体１の平面における対角線に沿わせて設け、弾性部材３の復元力の掛かる方向をさらにバランス良くすることができる。
【図面の簡単な説明】
【００２５】
【図１】本発明に係る画像形成装置の免震装置の一実施例を示す斜視図
【図２】同じく平面図
【符号の説明】
【００２６】
１  画像形成装置本体
２  係止部材
３  弾性部材
４  底板
【図１】
2006119482.tif 000003
【図２】
2006119482.tif 000004